(57)【要約】【課題】現状の成層圏プラットフォームの（最たる）課題である成層圏飛行体（高高度飛行船）の持続的な浮力等々を随時、生じさせ、未だ、なし得ない同船の滞空云々を実現化したり、剰え、（燃料コスト大の）ロケットなどに頼らない準軌道エレベーター風の宇宙輸送システムを確立化させる。 【解決手段】主に、図１等の通り、どうしても、気体漏れしやすい飛行船本体（単体）だけを浮揚させるのではなく、同船（舟底等）に、別途、中空形式の（強力炭素繊維製等の）ファイバー・チューブ類を先ず、付帯させ、順次、当該チューブ類と連結した地上のエア（ガス）ポンプ付属装置類から、常時、さしたる筒状のものを通して、高圧的にも効果的に、空気より比重の小さいヘリウムガス等を同上船の方へ送り出せばよい・・・云々。【選択図】図１
2010202148.tif 000002
【特許請求の範囲】
【請求項１】
主に、図１等の通り、予め、地上より２０km前後の上空（気流安定空域）までを飛行目的とする（軟式等の）成層圏飛行船（の舟底等）に、別途、地上から吊り上げられ（地上まで吊り下ろせ）、地面設置の（成層圏浮揚を相可能とする気体量を蓄えた圧縮ガスタンクの大型機器類と隣接する）特殊エアポンプ（吐出しポンプ）装置類と連結した（中空形式の）カーボン・ファイバー・チューブ類（破断長・自重で切れる長さが、約５０km以上の量産可能な強力炭素繊維製等）を付帯させて、順次、（未開化状の）同飛行船を飛ばす際には、さしたる紐・ロープ状付きの同上船を高々と浮かせる程の気体容量をもった（勿論、空気より比重の小さい・軽い）ヘリウムガスや水素ガス等を所定のファイバー・チューブ類を通じて、随時、当該船内に、高圧的にも効果的に送り込むという独特的な飛行システムを普く採用した成層圏プラットフォーム。
【請求項２】
前項の高高度飛行船の（膜材からの回避し得ぬ）気体漏れなどを探知センサー等で逸早くキャッチしては、常時、輸送上の気体を高圧的に増量しながら、自ずと補充しつつ、（最適な）適量に整えるエアポンプ装置付属の自動調整（圧力調整）コントロールシステム。
【請求項３】
請求項１の高高度飛行船の本体に、別段、（スペースデブリ・宇宙ゴミ対策用の）プロテクト・カバー等で覆ったものなどを（必要なら、前もって、ロケット等にて打ち上げた組立用の該当物資を低軌道上でドッキングさせながら）付け、適時、所定のロング・チューブ類（破断長・自重で切れる長さが、約２００km以上の耐引張力性等に優れたアラミド・ケブラー繊維製等）を通して、地上の大型エアポンプ装置類から、ただならぬ圧力（必須の浮揚用積載物の総重量による重力にも勝る推力）をもって、なおも高圧で（必要なら、気流の角度云々を変更し得る変換機器類を介しつつ）希ガスを送り続け、できる限り、地上から１００km以上の低軌道上の高空まで滞空させ、追々、地上から当該飛行体（準宇宙船）に到る長大な円柱（もしくは角柱等）化状のものをいみじくも軌道エレベーター風のケーブル・レール類に見立て、特段、（既存の）エレベーター方式等により、（小型）人工衛星等々のペイロードなどの運搬を相可能とする画期的な宇宙輸送システム。
【請求項４】
請求項１等の成層圏（硬式）飛行船を更なる高度・宇宙空間上の太陽電池衛星から照射されるレーザー光（又はマイクロ波）を受信する地上の受信局間との中継の拠点にしたり、当該チューブ類に、光ファイバー類を付設して、未だ、電力（電気エネルギー）への変換効率の悪い無線（マイクロ波等）でなく、さしたる有線（光ファイバー等）により、（電気抵抗の少ない極低温の宇宙空間を局部的に通りながら）地上に送信するという送電方式（送受信方法）を取り入れた宇宙太陽光発電システム。
【発明の詳細な説明】
【技術分野】
【０００１】
本発明は、概して、成層圏プラットフォーム等を普く構築し得る関連機器上の製造技術云々に関するものである。
【背景技術】
【０００２】
上記の技法に準じる。
【発明の開示】
【発明が解決しようとする課題】
【０００３】
現状の成層圏プラットフォームの（最たる）課題である成層圏飛行体（高高度飛行船）の持続的な浮力等々を随時、生じさせ、未だ、なし得ない同船の滞空云々を実現化したり、剰え、（燃料コスト大の）ロケットなどに頼らない準軌道エレベーター風の宇宙輸送システムを確立化させる。
【課題を解決するための手段】
【０００４】
主に、図１等の通り、どうしても、気体漏れしやすい飛行船本体（単体）だけを浮揚させるのではなく、同船（舟底等）に、別途、中空形式の（強力炭素繊維製等の）ファイバー・チューブ類を先ず、付帯させ、順次、当該チューブ類と連結した地上のエア（ガス）ポンプ付属装置類から、常時、さしたる筒状のものを通して、高圧的にも効果的に、空気より比重の小さいヘリウムガス等を同上船の方へ送り出せばよい・・・云々。
【発明の効果】
【０００５】
本発明装置類が実現化すれば、無論、成層圏プラットフォームの諸々の利点が存分に生かせる上、現状では、カーボンナノチューブ類の大量生産化等が難しいことなどから、今だ、軌道エレベーター計画が難航中ながら、とりわけ、その輸送手段に準じた宇宙輸送システムが相可能とならん・・・云々。
【発明を実施するための最良の形態】
【０００６】
追って、手続補正にて表記する。
【実施例】
【０００７】
追って、手続補正にて表記する。
【図面の簡単な説明】
【０００８】
【図１】本システムの概観を表す概略図。
【０００９】
＊追って、断面図や部分図（詳細図）などを提示する。
【図１】
2010202148.tif 000003
【手続補正書】
【提出日】平成21年3月19日(2009.3.19)
【手続補正１】
【補正対象書類名】特許請求の範囲
【補正対象項目名】全文
【補正方法】変更
【補正の内容】
【特許請求の範囲】
【請求項１】
主に、図１等の通り、予め、地上より２０km前後の上空（気流安定空域）までを飛行目的とする（軟式等の）成層圏飛行船（の舟底等）に、別途、以下の通りの方法で、地上から吊り上げられ（地上まで吊り下ろせ）、概ね、地面設置の（成層圏浮揚を相可能とする気体量を蓄えた圧縮ガスタンクの大型機器類と隣接する）高圧式エアポンプ（吐出・呼気ポンプ）装置類と連結した（中空形式の尚軽量な）カーボン・ファイバー・チューブ類（破断長・自重で切れる長さが、約５０km以上の量産可能な強力炭素繊維製等）を付帯させて、順次、（未開化状の）同飛行船を飛ばす際には、さしたる（中空糸膜型・空洞タイプの）紐・ロープ状付きの同上船（推定総重量：数トン〜数十トン程度・約２００トン以上ある過去の巨大飛行船の数分の一程度）を高々と浮かせる程の気体容量をもった（勿論、空気より比重の小さい・軽い）ヘリウムガスや水素ガス等を所定のファイバー・チューブ類を通じて、随時、当該船内に、（超）高圧的にも効果的に送り込むという独特的な飛行（飛翔）システムを普く採用した成層圏プラットフォーム。
【請求項２】
前項の高高度飛行船の（薄膜材からの回避し得ぬ）気体漏れなどを探知センサー等で逸早くキャッチしては、常時、輸送上の気体を高圧的に増量しながら、自ずと補充しつつ、（最適な）適量に整えるエアポンプ装置付属の自動調整（圧力調整）コントロールシステム及び関連計器類一式。
【請求項３】
請求項１の（硬式等の）高高度飛行船の本体に、別段、（スペースデブリ・宇宙ゴミ対策用等の）プロテクト・カバー等で覆ったものなどを（必要なら、前もって、ロケット等にて打ち上げた組立用の該当物資・多少の重みがあり、自ずと遠心力を増すものを低軌道上でドッキングさせながら）付け、適時、所定のロング・チューブ類（破断長・自重で切れる長さが、約２００km以上の耐引張力性等に優れたアラミド・ケブラー繊維製等）を通して、地上の大型エアポンプ装置類から、ただならぬ圧力（最大荷重：数百トン以上のものを持ち上げることができる＜スーパー＞エアージャッキの空圧にも相当せん、高圧力にして、必須の浮揚用積載物の総重量による重力・引力にも勝る反重力的な推力）をもって、なおも超高圧で（必要なら、ガス気流の角度云々を自転の進行方向に変更し得る無重力下の変換機器類を介しつつ）希ガス類を（追々、大気圏・熱圏内の空力加熱を引き起こさない程度の気体速度で、飽和気圧に達するまで）送り続け、できる限り、地上から１００km以上の低軌道（或いは、中高軌道）上の高空（宇宙空間）まで滞空させ、後々、地上から、遥か遠方の当該飛行体（準宇宙船）に到る長大な（複数形の）円柱もしくは角柱等化状のものをいみじくも宇宙（軌道）エレベーター風のレール・ケーブル（テザー・綱）類に見立てつつ、特段、（既存の）エレベーター方式等（気圧調整等完備のカプセル式ゴンドラ・特殊昇降機類がテザーを伝って上下に移動する方式等々）により、（小型）人工衛星等のペイロードの物資や宇宙旅行用等の人員（乗客）などの（往復）運搬を幾度となく相可能とする画期的な宇宙輸送システム。
【請求項４】
請求項３等にかかる、地上から、大気圏外・宇宙空間まで普く連なる（複数の）ファイバーチューブ類を予め、任意上の（小型又は中型）ロケット類で打ち上げる（運び上げる）場合、概ね、図３の様に、先ず、所定のロケット本体（の上方）に、別途、下方のノズルから発生する噴射ガスが掛からない程度の片幅を（左右に）もたせた翼状のもの（ロケット分離型）を付け、その各端（両端）辺りに、別して、同上のロング・チューブ類（その長さ、約１００km前後の部分には、軽量の耐熱シールド等装備）と連結した硬式の（プロテクトカバー付）円形飛行船風のものなどを備え付けては、順次、打ち上げと同時に、一見、巨大観覧車風の大型巻上げ機類で収納されていた同チューブ類を引き延ばしながら、主に低軌道上の宇宙空間まで達するように施し、適時、それ等に伴い、万有引力によって、ロケットと切り離した円形物等が、同上チューブ類ごと、落下し得ない程度に、適度な空気圧を断続的且つ効率的に送り続けるようにした本準軌道エレベーターの建造方法云々。
【請求項５】
請求項１等と同様もしくは類似の方法で、主要なヘリウムガス専用管以外に、別途、水素及び酸素などを輸送し得る各々の専用管等を（新たに）設け、随時、既定の宇宙基地或いは、宇宙船内の（燃料電池式の）関連装置類で、とりわけ、宇宙空間内での生活云々に欠かせない水と電気エネルギーを生成し、追々、所定の宇宙輸送方式にて運び上げられたペイロード・物資を組み立てて作り上げた人工衛星風の宇宙（カプセル）ホテルなどへ、常時、水補給や電送・配電等々を可能とするスペース＜ライフ・ライン＞システム。
【請求項６】
請求項１等の成層圏（硬式）飛行船を更なる高度・宇宙空間上の太陽電池衛星から照射されるレーザー光（又はマイクロ波）を受信する地上の受信局間との中継の拠点にしたり、当該チューブ類に、光ファイバー類を付設して、未だ、電力（電気エネルギー）への変換効率の悪い無線（マイクロ波等）でなく、さしたる有線（光ファイバー等）により、（電気抵抗の少ない極低温の宇宙空間を局部的に通りながら）地上に送信するという送電方式（送受信方法）を取り入れた宇宙太陽光発電システム。
【手続補正２】
【補正対象書類名】明細書
【補正対象項目名】全文
【補正方法】変更
【補正の内容】
【発明の詳細な説明】
【技術分野】
【０００１】
本発明は、概して、成層圏プラットフォーム及び宇宙輸送システム等を連係的に構築し得る関連機器上の製造（建造）技術云々に関するものである。
【背景技術】
【０００２】
上記の技法に準じる。
【発明の開示】
【発明が解決しようとする課題】
【０００３】
現状の成層圏プラットフォームの（最たる）課題である成層圏飛行体（高高度飛行船）の持続的な浮力等々を随時、生じさせ、未だ、なし得ない同船の滞空云々を実現化したり、剰え、（燃料コスト大の）ロケットなどに頼らない準軌道エレベーター風の宇宙輸送システムを確立化させる。
【課題を解決するための手段】
【０００４】
主に、図１等の通り、どうしても、気体漏れしやすい飛行船本体（単体）だけを浮揚させるのではなく、同船（舟底等）に、別途、中空形式の（強力炭素繊維製等の）ファイバー・チューブ類を先ず、付帯させ、順次、当該チューブ類と連結した地上のエア（ガス）ポンプ付属装置類から、常時、さしたる筒状のものを通して、高圧的にも効果的に、空気より比重の小さいヘリウムガス等を同上船の方へ送り出せばよい・・・云々。
【発明の効果】
【０００５】
本発明装置類が実現化すれば、無論、成層圏プラットフォームの諸々の利点が存分に生かせる上、現状では、カーボンナノチューブ類の大量生産化等が極めて難しいことなどから、今だ、宇宙（軌道）エレベーター計画が難航中ながら、とりわけ、その輸送手段に準じた宇宙輸送システム等々が相可能とならん・・・云々。
【発明を実施するための最良の形態】
【０００６】
追って、手続補正にて表記する。
【実施例】
【０００７】
追って、手続補正にて表記する。
【図面の簡単な説明】
【０００８】
【図１】本成層圏飛行船の飛翔システムなどを示す概略（簡略）図。＊追って、図２等々を提示する。
【符号の説明】
【０００９】
A：＜スーパー・ロング＞ファイバー・チューブ類。
B：＜超＞高圧式（呼気用）エアポンプ装置類。
C：（ヘリウムガス等の）大型ガスタンク類。
【手続補正３】
【補正対象書類名】図面
【補正対象項目名】図１
【補正方法】変更
【補正の内容】
【図１】
2010202148.tif 000004